(57)【特許請求の範囲】
【請求項１】
浴槽の排水口と、該浴槽が載置された浴槽パンの排水口とを連通させるための浴槽排水継手であって、
該浴槽排水継手を上下方向に伸縮させるための蛇腹部と、
該浴槽の遠隔操作型排水栓を操作するためのレリースを該浴槽排水継手内に引き込むためのレリース挿通部とを有する浴槽排水継手において、
該レリース挿通部を該蛇腹部に設け、
該蛇腹部には、第１大径部、小径部及び第２大径部が連続して設けられており、
該レリース挿通部は、該蛇腹部の該第１大径部、該小径部及び該第２大径部から側方に突設されたレリース挿通筒部を有することを特徴とする浴槽排水継手。
【請求項２】
請求項１において、該レリース挿通筒部の先端部の内周面にフランジ係合溝が周設されていることを特徴とする浴槽排水継手。
【請求項３】
請求項２において、一端にフランジを有したレリースガイド管の該フランジが前記フランジ係合溝に係合し、該レリースガイド管が該レリース挿通筒部に連結されていることを特徴とする浴槽排水継手。
【請求項４】
請求項１ないし３のいずれか１項において、
該浴槽排水継手の最上部に、浴槽排水口の上縁に係合する排水口係合フランジが設けられ、
該排水口係合フランジの下側に、浴槽排水口に挿通される筒状の頚部が設けられ、
該頚部の下側に、浴槽排水口の下縁に係合する拡径部が設けられ、
該拡径部の内周面にフランジ装着溝が周設されていることを特徴とする浴槽排水継手。
【請求項５】
請求項４において、
該フランジ装着溝に係合したトップフランジと、該トップフランジから垂下した垂下筒部と、該垂下筒部の内周面に形成された雌螺子とを有する雌螺子付き環状体が該浴槽排水継手内に配置されていることを特徴とする浴槽排水継手。
【請求項６】
請求項５において、前記排水口係合フランジの上側に配置された鍔部と、該鍔部から垂下し、該雌螺子付き環状体の内部に挿入された挿入筒部と、該挿入筒部の外周面に形成された雄螺子とを有する雄螺子付き環状体を備え、
該雄螺子付き環状体の該雄螺子が前記雌螺子付き環状体の前記雌螺子に螺合していることを特徴とする浴槽排水継手。
【発明の詳細な説明】
【技術分野】
【０００１】
本発明は、浴槽の排水口と浴槽パンの排水口とを挿通させるための浴槽排水継手に係り、特に上下方向に伸縮する蛇腹部を有する浴槽排水継手に関する。
【背景技術】
【０００２】
浴室ユニットの浴槽の排水口と、該浴槽が載置された浴槽パンの排水口とを接続するための浴槽排水継手として、上下方向に伸縮する蛇腹部を有したものが特許文献１，２に記載されている。この蛇腹部を有する浴槽排水継手は、浴槽排水口と浴槽パンの排水口とに位置ずれがあっても両者を容易に連結することができる。
【０００３】
特許文献１の浴槽排水継手には、レリースを用いた遠隔操作によって開閉される遠隔操作型排水栓が設置されている。特許文献１の浴槽排水継手は、蛇腹部の下側にずん胴形状（上下方向において等径の筒形状）の部分が設けられ、このずん胴形状部に設けられたレリース挿通孔に遠隔操作用レリースが挿通されている。特許文献１の図２〜３及び００１２段落には、このレリース挿通孔に薄肉の底部を設け、挿通されたレリースの外周面に該底部を密着させて水密性を保持させる構成が記載されている。
【０００４】
特許文献１，２においては、浴槽排水口の下側に浴槽排水継手の上端面を当接させている。この上端面の直下の内周面に凹部が周設され、ナット状部材が凹部に嵌着されている。浴槽排水口に挿通された排水筒の筒部上端にフランジが設けられ、該筒部の外周面に雄螺子が設けられている。該フランジを浴槽排水口の上縁に係合させ、該雄螺子をナット状部材の内周面の雌螺子に締め込むことにより、浴槽排水継手が浴槽排水口に連結される。なお、レリースを用いた遠隔操作式の排水栓の構造は特許文献３の通り周知である。
【先行技術文献】
【特許文献】
【０００５】
【特許文献１】特開平１１−２４１３８７
【特許文献２】実開平６−８７４７８
【特許文献３】実公昭６０−２２１４７
【発明の概要】
【発明が解決しようとする課題】
【０００６】
特許文献１のように、浴槽排水継手の下部にずん胴部を設け、このずん胴部のレリース挿通孔にレリースを挿通させる浴槽排水継手にあっては、ずん胴部を設けた分だけ浴槽排水継手の高さが大きくなる。浴槽排水継手の高さが大きいと、その分浴槽と浴槽パンとの間隔が大きくなり、浴槽の設置位置が高くなる。すなわち、浴槽のまたぎ高さが大きいものとなる。近年ではバリアフリーの視点により、浴槽のまたぎ高さはより小さいものが求められている。また、特許文献１ではレリース挿通孔とレリースとの間の水密性の耐久性が不足する。例えば、ゴムが経年劣化して弾力性が低下してくると、レリースとレリース挿通孔との間から漏水するおそれがある。
【０００７】
また、特許文献１，２の浴槽排水継手のように、浴槽排水継手上部内周面に設けた凹部にナット状部材を嵌装し、このナット状部材に排水筒外周面の雄螺子を螺合させた浴槽排水継手にあっては、ナット状部材の厚みを十分に大きくしないと、ナット状部材と排水筒との連結強度が十分に得られない。このようにナット状部材の厚みを大きくすると、その分だけ浴槽排水継手の高さが大きくなる。
【０００８】
本発明は、上記従来の問題点を解決し、浴槽排水口と浴槽パン排水口とを接続するための蛇腹部を有した浴槽排水継手において、該浴槽排水継手の高さを小さくすることを目的とする。
【０００９】
また、本発明は、その一態様において、遠隔操作式の排水栓を操作するためのレリースの挿通部の水密性に優れた浴槽排水継手を提供することを目的とする。
【課題を解決するための手段】
【００１０】
第１発明の浴槽排水継手は、浴槽の排水口と該浴槽が載置された浴槽パンの排水口とを連通させるための浴槽排水継手であって、該浴槽排水継手を上下方向に伸縮させるための蛇腹部と、該浴槽の遠隔操作型排水栓を操作するためのレリースを該浴槽排水継手内に引き込むためのレリース挿通部とを有する浴槽排水継手において、該レリース挿通部を該蛇腹部に設けたことを特徴とするものである。
【００１１】
前記レリース挿通部は、前記蛇腹部から側方に突設されたレリース挿通筒部を有することが好ましい。
【００１２】
該レリース挿通筒部の先端部の内周面にフランジ係合溝が周設されていてもよい。この場合、一端にフランジを有したレリースガイド管の該フランジが前記フランジ係合溝に係合し、該レリースガイド管が該レリース挿通筒部に連結される。
【００１３】
該浴槽排水継手の最上部に、浴槽排水口の上縁に係合する排水口係合フランジが設けられ、該排水口係合フランジの下側に、浴槽排水口に挿通される筒状の頚部が設けられ、該頚部の下側に、浴槽排水口の下縁に係合する拡径部が設けられ、該拡径部の内周面にフランジ装着溝が周設されていてもよい。
【００１４】
この場合、該フランジ装着溝に係合したトップフランジと、該トップフランジから垂下した垂下筒部と、該垂下筒部の内周面に形成された雌螺子とを有する雌螺子付き環状体が該浴槽排水継手内に配置される。そして、前記排水口係合フランジの上側に配置された鍔部と、該鍔部から垂下し、該雌螺子付き環状体の内部に挿入された挿入筒部と、該挿入筒部の外周面に形成された雄螺子とを有する雄螺子付き環状体を備え、該雄螺子付き環状体の該雄螺子が前記雌螺子付き環状体の前記雌螺子に螺合する。
【００１５】
第２発明の浴槽排水継手は、浴槽の排水口と該浴槽が載置された浴槽パンの排水口とを連通させるための浴槽排水継手であって、上下方向に伸縮可能な蛇腹部を有する浴槽排水継手において、該浴槽排水口の下縁に係合する拡径部が設けられ、該拡径部の内周面にフランジ装着溝が周設されており、該フランジ装着溝に係合したトップフランジと、該トップフランジから垂下した垂下筒部と、該垂下筒部の内周面に形成された雌螺子とを有する雌螺子付き環状体が該浴槽排水継手内に配置されていることを特徴とするものである。
【００１６】
第２発明において、該浴槽排水継手の最上部に、浴槽排水口の上縁に係合する排水口係合フランジが設けられ、該排水口係合フランジの下側に、浴槽排水口に挿通される筒状の頚部が設けられ、該頚部の下側に、前記拡径部が設けられていることが好ましい。
【００１７】
この場合、前記排水口係合フランジの上側に配置された鍔部と、該鍔部から垂下し、該雌螺子付き環状体の内部に挿入された挿入筒部と、該挿入筒部の外周面に形成された雄螺子とを有する雄螺子付き環状体を備え、該雄螺子付き環状体の該雄螺子が前記雌螺子付き環状体の前記雌螺子に螺合する。
【発明の効果】
【００１８】
第１発明の浴槽排水継手にあっては、レリース挿通部を蛇腹部に設けているので、従来の浴槽排水継手のように浴槽排水継手に長いずん胴部を設けることが不要となり、その分だけ浴槽排水継手の高さを小さくすることができる。
【００１９】
したがって、浴槽と浴槽パンとの間を小さくでき、浴槽の設置高さを抑えながら、浴槽と浴槽パンとの位置ずれに十分に対応することができる。
【００２０】
レリース挿通部に、蛇腹部から側方へ突設されるレリース挿通筒部を設けることにより、蛇腹部が伸縮したときの変形がレリース挿通筒部の先端にまで殆ど伝わらないようになる。このため、レリース挿通筒部の先端部におけるレリースとレリース挿通孔との間の水密性が向上する。
【００２１】
レリース挿通筒部の先端部にフランジ係合溝を設け、レリースガイド管のフランジを該フランジ係合溝に係合させると、レリースとの間の水密性が向上する。この場合、レリース挿通筒部の先端部を外周側から締付部材によって縮径方向に締め付けることにより、水密性がさらに向上する。
【００２２】
浴槽排水継手の上部に、頚部を設け、該頚部の上側に、浴槽排水口の上縁に係合する排水口係合フランジを設けることにより、浴槽排水継手が浴槽排水口の上縁から浴槽パン排水口にまで一連に存在することになり、浴槽排水継手の水密性が向上する。
【００２３】
この頚部の下側に拡径部を設け、該拡径部の内周にフランジ装着溝を設け、雌螺子付き環状体のトップフランジを該フランジ装着溝に係合させて該雌螺子付き環状体を浴槽排水継手内に配置し、雄螺子付き環状体の雄螺子を該雌螺子に螺合させ、雄螺子付き環状体の鍔部を浴槽排水継手の排水口係合フランジを上側から押え付けることにより、浴槽排水継手が浴槽排水口に水密的に連結される。
【００２４】
また、この連結構造であれば、浴槽内側から連結作業を行うことができ、浴槽下の空間が狭い場合であっても影響を受けず容易に施工することができる。
【００２５】
また、この雌螺子付き環状体のトップフランジの厚さは、従来のナット状部材に比べてかなり小さくて足りるので、フランジ装着溝の溝幅も小さくて足り、その分だけ浴槽排水継手の高さを小さくすることができる。
【００２６】
第２発明の浴槽排水継手にあっては、浴槽排水口の下縁に係合する拡径部が設けられ、この拡径部の内周面にフランジ装着溝が周設され、このフランジ装着溝に雌螺子付き環状体のトップフランジが係合しているので、トップフランジの厚さ及びフランジ装着溝の溝幅を小さくすることにより、浴槽排水継手の高さを小さくすることができる。第２発明においても、雄螺子付き環状体の雄螺子を該雌螺子に螺合させ、雄螺子付き環状体の鍔部を浴槽排水継手の排水口係合フランジを上側から押え付けることにより、浴槽排水継手が浴槽排水口に水密的に連結される。
【図面の簡単な説明】
【００２７】
【図１】実施の形態に係る浴槽排水継手の設置状態を示す断面図である。
【図２】遠隔操作排水栓及び雄螺子付き環状体を取り除いた状態の浴槽排水継手の設置状態を示す断面図である。
【図３】浴槽排水継手の斜視図である。
【図４】浴槽排水継手の断面図である。
【図５】レリースガイド管の斜視図である。
【図６】浴槽排水継手の設置状態を示す斜視図である。
【図７】遠隔操作式排水栓の分解斜視図である。
【図８】遠隔操作式排水栓の分解断面図である。
【発明を実施するための形態】
【００２８】
以下、図１〜８を参照して実施の形態について説明する。
【００２９】
図１，２，６の通り、浴槽パン１の上に浴槽３が設置され、浴槽パン１の排水口２と浴槽３の排水口４とが浴槽排水継手１０によって接続されている。浴槽パン１の下側に排水エルボ５が連結され、図６の通り、該排水エルボ５が排水管６を介して排水トラップ７に接続されている。この排水トラップ７には洗い場排水も上面開口部７ａから流入する。
【００３０】
図３，４の通り、浴槽排水継手１０は、最上部に排水口係合フランジ１１が設けられ、該排水口係合フランジ１１の内周端から下方に短い筒状の頚部１２が延設され、該頚部１２の下側に拡径部１３が設けられ、該拡径部１３の下側に蛇腹部１４が設けられ、蛇腹部１４の下側に拡径部１３と同様形状の膨出部１５が設けられている。
【００３１】
拡径部１３の内周側がフランジ装着溝１３ａとなっている。膨出部１５の内周側は、フランジ装着溝１３ａと同様形状の周回溝１５ａとなっている。蛇腹部１４から側方に、レリース挿通部を構成するレリース挿通筒部１６が突設されている。レリース挿通筒部１６の先端部１７は拡径した鍔状となっている。この先端部１７の内周面にフランジ係合溝１７ａが周設されている。浴槽排水継手１０は、これらのすべての部分が、弾力性及び耐水性を有したゴムにより一体に成形されている。
【００３２】
レリース挿通筒部１６に対し、図５に示すレリースガイド管２０が接続される。このレリースガイド管２０は、湾曲した管体２１を有し、該管体２１の一端にフランジ２２が設けられている。図１，２の通り、このフランジ２２をフランジ係合溝１７ａに嵌合させることにより、レリース挿通筒部１６に対しレリースガイド管２０が接続される。このレリースガイド管２０は硬質合成樹脂よりなる。このレリースガイド管２０にレリース６０が挿通される。レリース６０は、図８の通り、鞘管（シース）６１と、該シース６１内に挿通されたワイヤ６２とを有する。
【００３３】
浴槽排水継手１０内の上部に雌螺子付き環状体３０が設置されている。該雌螺子付き環状体３０は、上端のトップフランジ３１と、該トップフランジ３１の内周縁から垂下する垂下筒部３２と、該垂下筒部３２の内周面に設けられた雌螺子３３とを有する。この雌螺子付き環状体３０は、トップフランジ３１を浴槽排水継手１０のフランジ装着溝１３ａに嵌合させることにより浴槽排水継手１０に装着されている。
【００３４】
浴槽排水継手１０内の下部に、浴槽パン１への接続用環体４０が設置されている。該接続用環体４０は、上端部のフランジ４１と、該フランジ４１の内周縁から垂下し、浴槽排水継手１０から下方に突出した筒部４２と、該筒部４２の外周面に、周方向に延設されたロック爪４３と、筒部４２の上部内周から内向きに設けられた内向き鍔部４４とを有する。内向き鍔部４４の内周は六角形となっており、六角形の工具（図示略）を係合させて接続用環体４０を回転させることが可能となっている。ロック爪４３を、図１，２の通り浴槽パン２の排水口４の下縁に係合させることにより、浴槽排水継手１０の下部を浴槽パン１の排水口２に連絡する。
【００３５】
浴槽排水継手１０の上部を浴槽３に固定するための雄螺子付き環状体５０は、図８の通り、最上部の鍔部５１と、該鍔部５１の内周端から垂下する挿入筒部５２と、該挿入筒部５２の外周面の雄螺子５３と、挿入筒部５２の下部内周面に設けられた排水栓装置係止部５４等を有している。
【００３６】
図２の通り、浴槽排水継手１０の排水口係合フランジ１１を浴槽３の排水口４の上縁に重ね、頚部１２を該排水口４に内嵌させた状態で、この雄螺子付き環状体５０の挿入筒部５２を浴槽排水継手１０内に対し上方から挿入し、雄螺子５３を雌螺子付き環状体３０の雌螺子３３に締め込み、排水口４に浴槽排水継手１０の上部を連結固定する。
【００３７】
なお、浴槽排水継手１０のレリース挿通筒部１６の先端部に予めレリースガイド管２０を接続しておく。
【００３８】
排水栓７０の開閉機構について図７，８を参照して次に説明する。
【００３９】
排水栓７０は、略円盤型の栓体７１と、該栓体７１の中央から下方に突設された筒状部７２とを有する。
【００４０】
この筒状部７２は、排水栓支持体８０の中央筒体８３に対し上方から上下方向スライド自在に嵌合している。排水栓支持体８０は、外周環体８１と、該外周環体８１の下縁側に設けられた切欠部８２と、該外周環体８１の軸心部に配置され、上方に突出した前記中央筒体８３と、該中央筒体８３と外周環体８１とを連結する径方向片８６と、該中央筒体８３の下端から内方へ突設された係止片８５とを有する。切欠部８２を雄螺子付き環状体５０の排水栓装置係止部５４と係合させることにより、排水栓支持体８０が雄螺子付き環状体５０に固定される。この中央筒体８３内に下側からアタッチメント８４が挿入される。挿入されたアタッチメント８４の底面に係止片８５が係合することにより、アタッチメント８４が中央筒体８３内に保持される。このアタッチメント８４内に下側からレリース６０の先端（一端）が挿入される。レリース６０は、図１の通り、レリースガイド管２０を通過し、浴槽３の側壁に沿って上方に引き回される。図示は省略するが、浴槽３の上縁フランジ部に排水栓操作ハンドルが設けられており、レリース６０の他端が該排水栓操作ハンドルに接続されている。
【００４１】
この操作ハンドルを押し込むと、ワイヤ６２が前進し、排水栓７０が押し上げられる。操作ハンドルをもう１回押すと、操作ハンドルに設けられたリターンスプリングの作用によって操作ハンドル及びワイヤ６２が後退し、排水栓７０が下降する。
【００４２】
この浴槽排水継手１０は、蛇腹部１４にレリース挿通筒部１６が設けられており、従来例のずん胴部が設けられていないので、浴槽排水継手１０の高さが小さい。また、雌螺子付き環状体３０は、厚みの小さいトップフランジ３１をフランジ装着溝１３ａに嵌合させており、フランジ装着溝１３ａの上下幅が小さい。そのため、浴槽排水継手１０の高さが小さい。なお、雌螺子付き環状体３０は、その垂下筒部３２の内周面に雌螺子を設けているので、雄螺子付き環状体５０と雌螺子付き環状体３０とを堅固に螺合連結させることができる。また、鍔部５１とトップフランジ３１とで排水口４の縁部及び排水口係合フランジ１１並びに拡径部１３の上面部を強力に挟持することにより水密性が良好となる。
【００４３】
この浴槽排水継手１０は、頚部１２を浴槽排水口４に通し、排水口係合フランジ１１を該排水口４の上縁に係合させているので、雄螺子付き環状体５０を排水口４の上方から浴槽排水継手１０内に容易に差し込んで雌螺子付き環状体３０に締め込むことができる。
【００４４】
この浴槽排水継手１０は、浴槽排水口４の上側の排水口係合フランジ１１から膨出部１５までゴムで一連一体となっているので、水密性に優れる。
【００４５】
この実施の形態にあっては、レリース挿通筒部１６の先端部１７の内周に周回溝よりなるフランジ係合溝１７ａを設け、このフランジ係合溝１７ａにレリースガイド管２０のフランジ２２を嵌合させている。レリース挿通筒部１６の長さを１０〜３０ｍｍ程度と長く設定することにより、蛇腹部１４が上下に変形しても、この変形が先端部１７にまでは伝わらないようになる。このため、フランジ２２とフランジ係合溝１７ａとの水密性が良好である。なお、先端部１７を外周から環状締付具（図示略）によって締め付け、フランジ２２とフランジ係合溝１７ａとの水密性を高めることも可能である。
【００４６】
また、レリース挿通部の直径を１０〜３０ｍｍと広く設定することにより、蛇腹部が上下に変形してもレリースを圧迫するおそれのないものとなる。
【００４７】
上記実施の形態は本発明の一例であり、本発明は図示以外の形態とされてもよい。
【符号の説明】
【００４８】
１  浴槽パン
２  浴槽パン排水口
３  浴槽
４  浴槽排水口
１０  浴槽排水継手
１１  排水口係合フランジ
１２  頚部
１３  拡径部
１３ａ  フランジ装着溝
１４  蛇腹部
１５  膨出部
１５ａ  周回溝
１６  レリース挿通筒部
１７  先端部
１７ａ  フランジ係合溝
２０  レリースガイド管
２２  フランジ
３０  雌螺子付き環状体
３１  トップフランジ
３２  垂下筒部
３３  雌螺子
４０  接続用環体
５０  雄螺子付き環状体
５１  鍔部
５２  挿通筒部
５３  雄螺子
６０  レリース
７０  排水栓
【図１】
0005899826.tif 000002
【図２】
0005899826.tif 000003
【図３】
0005899826.tif 000004
【図４】
0005899826.tif 000005
【図５】
0005899826.tif 000006
【図６】
0005899826.tif 000007
【図７】
0005899826.tif 000008
【図８】
0005899826.tif 000009